(57)【要約】【課題】  メジャーアラームの発生だけでなく、マイナーアラームの発生にも予備の増幅装置を効率的に利用できるようにした増幅装置の冗長構成装置を提供する。【解決手段】  リレー制御ユニット２５０′は、セクタ用の増幅装置２６０′〜２６２′が継続運用不能なメジャーアラーム発生に対して当該セクタ用の増幅装置を予備の増幅装置２６３′に切り替え、セクタ用の増幅装置が継続運用可能なマイナーアラーム発生に対して他のセクタでメジャーアラームの発生がなければ当該マイナーアラーム発生のセクタ用の増幅装置を予備の増幅装置２６３′に切り替え、マイナーアラーム発生により予備の増幅装置２６３′を運用中に他セクタでメジャーアラーム発生すると、マイナーアラーム発生による経路の切り替えを元に戻し、当該メジャーアラーム発生中の他セクタ用の増幅装置を予備の増幅装置２６３′に切り替えて運用する。【選択図】        図１
2008141451.tif 000002
【特許請求の範囲】
【請求項１】
複数のセクタ用の増幅装置と、予備の増幅装置と、セクタ用の増幅装置を予備の増幅装置に切り替えるリレー制御ユニットとを有する冗長構成装置であって、
前記リレー制御ユニットは、セクタ用の増幅装置が継続運用不能なメジャーアラーム発生に対して当該セクタ用の増幅装置を前記予備の増幅装置に切り替え、セクタ用の増幅装置が継続運用可能なマイナーアラーム発生に対して他のセクタ用の増幅装置にメジャーアラームが発生していなければ当該マイナーアラームが発生したセクタ用の増幅装置を前記予備の増幅装置に切り替え、前記マイナーアラーム発生により前記予備の増幅装置を運用中に他のセクタ用の増幅装置でメジャーアラームが発生すると、前記マイナーアラーム発生による経路の切り替えを元に戻し、当該メジャーアラーム発生中の他のセクタ用の増幅装置を前記予備の増幅装置に切り替えて運用することを特徴とする冗長構成装置。
【発明の詳細な説明】
【技術分野】
【０００１】
本発明は、携帯電話等の基地局装置の一部である増幅装置の冗長構成装置に係り、特に、継続運用可能なマイナーアラームにも対応可能とした増幅装置の冗長構成装置に関する。
【背景技術】
【０００２】
［従来の増幅装置］
従来の携帯電話等に用いられる基地局の増幅装置は、入力された信号を増幅して、歪み成分を除去して、増幅された信号成分のみを出力する装置である。
従来の増幅装置について図４を参照しながら説明する。図４は、従来の増幅装置の構成ブロック図である。
従来の増幅装置１００は、図４に示すように、入力端子１１０と、増幅部１２０と、出力端子１３０と、電源部（ＰＳ）１４０と、ＦＡＮ部（ＦＡＮ）１５０と、制御部１６０とから構成されている。
【０００３】
増幅部１２０は、入力端子１１０から入力された信号を増幅処理し、出力端子１３０から出力信号として出力する。
電源部１４０は、増幅部１２０，ＦＡＮ部１５０及び制御部１６０に電源を供給する。
ＦＡＮ部１５０は、増幅装置１００を冷却するためのファンである。
【０００４】
制御部１６０は、増幅部１２０、電源部１４０及びＦＡＮ部１５０に対して正常な動作が行われるよう監視・制御を行う。
増幅部１２０に対する監視・制御の動作は、Ａ／Ｄ（アナログ／デジタル）コンバータ、Ｄ／Ａ（デジタル／アナログ）コンバータ等を用いて、適切な増幅処理が行われるようにし、異常を検出した際には、増幅を停止させる処理を行う。
【０００５】
尚、外部機器１７０は、増幅装置１００の状態を確認し、制御するために接続されるＰＣ（パーソナルコンピュータ）等である。
【０００６】
［従来の増幅装置の冗長構成装置］
従来の増幅装置の冗長構成装置について図５を参照しながら説明する。図５は、従来の増幅装置の冗長構成装置の構成ブロック図である。
従来の冗長構成装置は、図５に示すように、３台の増幅装置（セクタＡ用）２６０，増幅装置（セクタＢ用）２６１，増幅装置（セクタＣ用）２６２により３つのセクタを運用する基地局において、予備増幅装置２６３を１台備える構成となっている。
【０００７】
従来の冗長構成装置２００は、各セクタの入力端子２１０，２１１，２１２と、入力側ＲＦ（Radio Frequency）リレーユニット２２０と、出力側ＲＦリレーユニット２３０と、各セクタの出力端子２４０，２４１，２４２と、リレー制御ユニット２５０と、各セクタ用の増幅装置２６０，２６１，２６２と、予備の増幅装置２６３とを備えている。
【０００８】
通常運用時は、入力端子２１０，２１１，２１２から入力された信号を、入力側ＲＦリレーユニット２２０を介して対応する増幅装置２６０，２６１，２６２に入力し、各増幅装置で増幅処理を行い、出力側ＲＦリレーユニット２３０を介して出力端子２４０，２４１，２４２から出力信号を出力する。
【０００９】
ここで、リレー制御ユニット２５０は、各増幅装置２６０，２６１，２６２の状態を監視し、入力側ＲＦリレーユニット２２０及び出力側ＲＦリレーユニット２３０の経路設定を行う。
【００１０】
［経路切替要求処理］
次に、運用中のいずれかのセクタ用の増幅装置が増幅動作継続不能なアラーム（メジャーアラーム）を検出した場合の増幅装置経路切替要求の処理について図６を参照しながら説明する。図６は、従来の増幅装置の経路切替要求処理のフローチャートである。
【００１１】
従来の増幅装置の経路切替要求処理は、図６に示すように、増幅装置が、メジャーアラームを検出したか否かを判定し（Ｓ６００）、検出していなければ（Ｎｏの場合）、処理を終了し、検出していれば（Ｙｅｓの場合）、リレー制御ユニット２５０に対して経路切替要求を出力する（Ｓ６０１）。
経路切替要求は、ユニット間の通信を用いてもよいし、信号レベル等によってもよい。
【００１２】
［経路切替制御］
次に、従来の冗長構成装置におけるリレー制御ユニット２５０の経路切替制御について図７を参照しながら説明する。図７は、従来のリレー制御ユニットの経路切替制御のフローチャートである。
リレー制御ユニット２５０は、増幅装置からの経路切替要求の有無を判定し（Ｓ７００）、経路切替要求がなければ（Ｎｏの場合）、処理を終了し、経路切替要求があれば（Ｙｅｓの場合）、予備の増幅装置２６３の状態を確認するために、予備の増幅装置２６３が使用中であるかを判定する（Ｓ７１０）。
【００１３】
予備の増幅装置２６３が使用中であれば（Ｙｅｓの場合）、処理を終了し、予備の増幅装置２６３が未使用であれば（Ｎｏの場合）、切替要求の発生元を確認する。
切替要求の発生元の確認処理は、まず、切替要求はセクタＡの増幅装置２６０からのものかを判定し（Ｓ７２０）、セクタＡの増幅装置２６０からのものであれば（Ｙｅｓの場合）、セクタＡの増幅装置２６０を予備の増幅装置２６３に切り替える処理を行う（Ｓ７４０）。
【００１４】
切替要求が、セクタＡの増幅装置２６０からのものでなければ（Ｎｏの場合）、次に、切替要求はセクタＢの増幅装置２６１からのものかを判定し（Ｓ７３０）、セクタＢの増幅装置２６１からのものであれば（Ｙｅｓの場合）、セクタＢの増幅装置２６１を予備の増幅装置２６３に切り替える処理を行う（Ｓ７５０）。
【００１５】
切替要求が、セクタＢの増幅装置２６１からのものでなければ（Ｎｏの場合）、セクタＣの増幅装置２６２を予備の増幅装置２６３に切り替える処理を行う（Ｓ７６０）。
【００１６】
これらの制御により、セクタ用の増幅装置２６０〜２６２の経路から予備の増幅装置２６３に経路設定することで、予備の増幅装置２６３が入力信号を増幅し、対応する出力端子から出力信号を出力する。
このようにして、セクタそのもののサービスの停止を防止している。
【００１７】
［経路回復要求処理］
次に、メジャーアラーム要因が解消し、正常状態に復帰する場合の経路回復要求処理について図８を参照しながら説明する。図８は、従来の経路回復要求処理を示すフローチャートである。
各セクタの増幅装置２６０，２６１，２６２は、図８に示すように、メジャーアラーム要因が解消（正常状態復帰）したか否かを判定し（Ｓ８００）、メジャーアラーム要因が解消していなければ（Ｎｏの場合）、処理を終了する。
【００１８】
メジャーアラーム要因が解消していれば（Ｙｅｓの場合）、各セクタの増幅装置２６０，２６１，２６２は、経路回復要求をリレー制御ユニット２５０に出力する（Ｓ８０１）。
このようにして、増幅装置は、経路回復要求処理を行う。
【００１９】
［経路切替制御］
次に、リレー制御ユニット２５０における経路復帰制御について図９を参照しながら説明する。図９は、従来のリレー制御ユニットの経路復帰制御のフローチャートである。
リレー制御ユニット２５０は、図９に示すように、増幅装置２６０，２６１，２６２から経路復帰要求があるか否かの判定を行い（Ｓ９００）、経路回復要求がなければ（Ｎｏの場合）、処理を終了し、経路回復要求があれば（Ｙｅｓの場合）、予備の増幅装置２５０が使用中であるか否かを判定する（Ｓ９１０）。
【００２０】
予備の増幅装置２５０が使用中でなければ（Ｎｏの場合）、回復処理は終了する。
予備の増幅装置２５０が使用中であれば（Ｙｅｓの場合）、回復要求はセクタＡの増幅装置２６０からのものかを判定し（Ｓ９２０）、セクタＡの増幅装置２６０からのものであれば（Ｙｅｓの場合）、予備の増幅装置２６３をセクタＡの増幅装置２６０に戻す処理を行う（Ｓ９４０）。
【００２１】
回復要求が、セクタＡの増幅装置２６０からのものでなければ（Ｎｏの場合）、次に、回復要求はセクタＢの増幅装置２６１からのものかを判定し（Ｓ９３０）、セクタＢの増幅装置２６１からのものであれば（Ｙｅｓの場合）、予備の増幅装置２６３をセクタＢの増幅装置２６１に戻す処理を行う（Ｓ９５０）。
【００２２】
回復要求が、セクタＢの増幅装置２６１からのものでなければ（Ｎｏの場合）、予備の増幅装置２６３をセクタＣの増幅装置２６２に戻す処理を行う（Ｓ９６０）。
【００２３】
ここで、メジャーアラーム発生時の動作について図１０及び図１１に示す。図１０は、メジャーアラーム検出前の正常運用中の状態を示し、図１１は、セクタＡ用の増幅装置におけるメジャーアラーム発生時の状態を示すものである。
【００２４】
図１０，図１１に示すように、図１０の正常運用中の状態から、セクタＡ用の増幅装置２６０にメジャーアラームが発生すると、増幅装置２６０はリレー制御ユニット２５０に切替要求を出力し、リレー制御ユニット２５０は、セクタＡ用の増幅装置２６０から予備の増幅装置２６３に切り替える。
【００２５】
尚、冗長構成に関する先行技術として、特開平７−３２１７１２号公報がある（特許文献１）。
この先行技術は、１系装置１０と２系装置２０において障害情報に重大度のランクを付し、両系で障害が発生した場合には、より重大度の低い障害情報が発生した系を運用系とするように指示する冗長構成の縮退運用方式が記載されている。
【００２６】
【特許文献１】特開平０７−３２１７１２号公報
【発明の開示】
【発明が解決しようとする課題】
【００２７】
しかしながら、従来の増幅装置の冗長構成装置では、予備の増幅装置への切替は、セクタ用の増幅装置にメジャーアラームが発生したときのみ行われるもので、増幅動作継続可能なアラーム（マイナーアラーム）には対応しておらず、メジャーアラームが発生していない場合に、予備の増幅装置を十分に活用していないという問題点があった。
【００２８】
本発明は上記実情に鑑みて為されたもので、メジャーアラームの発生だけでなく、マイナーアラームの発生にも予備の増幅装置を効率的に利用できるようにした増幅装置の冗長構成装置を提供することを目的とする。
【課題を解決するための手段】
【００２９】
上記従来例の問題点を解決するための本発明は、予備の増幅装置と、セクタ用の増幅装置を予備の増幅装置に切り替えるリレー制御ユニットとを有する冗長構成装置であって、リレー制御ユニットは、セクタ用の増幅装置が継続運用不能なメジャーアラーム発生に対して当該セクタ用の増幅装置を予備の増幅装置に切り替え、セクタ用の増幅装置が継続運用可能なマイナーアラーム発生に対して他のセクタ用の増幅装置にメジャーアラームが発生していなければ当該マイナーアラームが発生したセクタ用の増幅装置を予備の増幅装置に切り替え、マイナーアラーム発生により予備の増幅装置を運用中に他のセクタ用の増幅装置でメジャーアラームが発生すると、マイナーアラーム発生による経路の切り替えを元に戻し、当該メジャーアラーム発生中の他のセクタ用の増幅装置を予備の増幅装置に切り替えて運用することを特徴とする。
【発明の効果】
【００３０】
本発明によれば、予備の増幅装置と、セクタ用の増幅装置を予備の増幅装置に切り替えるリレー制御ユニットとを有する冗長構成装置であって、リレー制御ユニットは、セクタ用の増幅装置が継続運用不能なメジャーアラーム発生に対して当該セクタ用の増幅装置を予備の増幅装置に切り替え、セクタ用の増幅装置が継続運用可能なマイナーアラーム発生に対して他のセクタ用の増幅装置にメジャーアラームが発生していなければ当該マイナーアラームが発生したセクタ用の増幅装置を予備の増幅装置に切り替え、マイナーアラーム発生により予備の増幅装置を運用中に他のセクタ用の増幅装置でメジャーアラームが発生すると、マイナーアラーム発生による経路の切り替えを元に戻し、当該メジャーアラーム発生中の他のセクタ用の増幅装置を予備の増幅装置に切り替えて運用するものであり、メジャーアラームだけでなく、マイナーアラームにも予備の増幅装置を効率的に利用できるようにし、安定した通信サービスを提供できる効果がある。
【発明を実施するための最良の形態】
【００３１】
［実施の形態の概要］
本発明の実施の形態について図面を参照しながら説明する。
本発明の実施の形態に係る増幅装置の冗長構成装置は、セクタ用の増幅装置が継続運用不能なメジャーアラーム発生に対して当該セクタ用の増幅装置を予備の増幅装置に切り替え、セクタ用の増幅装置が継続運用可能なマイナーアラーム発生に対して他のセクタでメジャーアラームが発生していなければ当該マイナーアラームが発生したセクタ用の増幅装置を予備の増幅装置に切り替え、マイナーアラーム発生により予備の増幅装置を運用中に他のセクタでメジャーアラームが発生すると、マイナーアラーム発生による経路の切り替えを元に戻し、当該メジャーアラーム発生中の他のセクタ用の増幅装置を予備の増幅装置に切り替えて運用するものであり、メジャーアラームだけでなく、マイナーアラームにも予備の増幅装置を効率的に利用でき、安定した通信サービスを提供できるものである。
【００３２】
［冗長構成装置の概要］
本発明の実施の形態に係る増幅装置の冗長構成装置について図１を参照しながら説明する。図１は、本発明の実施の形態に係る増幅装置の冗長構成装置の構成ブロック図である。尚、図５と同様の構成をとる部分については同一の符号を付して説明する。
本発明の実施の形態に係る増幅装置の冗長構成装置（本装置）は、図１に示すように、３台の増幅装置（セクタＡ用）２６０′，増幅装置（セクタＢ用）２６１′，増幅装置（セクタＣ用）２６２′により３つのセクタを運用する基地局において、予備増幅装置２６３′を１台備え、各セクタの入力端子２１０，２１１，２１２と、入力側ＲＦリレーユニット２２０と、出力側ＲＦリレーユニット２３０と、各セクタの出力端子２４０，２４１，２４２と、リレー制御ユニット２５０′とを備えている。
【００３３】
尚、メジャーアラームとは、不正電波出力を行う可能性があるため、若しくは、増幅装置を破損する可能性があるため、増幅動作を停止するアラームのことである。
具体的には、ＩＭ不良、歪補償制御不良、電源不良（電圧低下幅大）、温度アラーム（高温）、過入力（増幅装置への入力レベルが規定入力＋１０ｄＢを超えた）のものが、メジャーアラームに含まれる。
ただし、過入力は切替先の予備増幅装置でも同一アラームとなり得るため、切替対象アラームから除いている。
【００３４】
また、マイナーアラームとは、発生状態で放置すれば、メジャーアラームとなる可能性があるが、極端な特性劣化や装置破損の可能性が低いアラームのことである。
具体的には、ＦＡＮ故障、電源不良（電圧低下幅小）、温度マイナーアラーム（温度アラームより約１０℃低いレベル検出）、過入力（増幅装置への入力レベルが規定入力＋１ｄＢ〜１０ｄＢ以内）のものが、マイナーアラームに含まれる。
ただし、過入力は切替先の予備増幅装置でも同一アラームとなり得るため、切替対象アラームから除いている。
【００３５】
［冗長構成装置の各部］
入力端子２１０は、セクタＡの入力信号を入力し、入力端子２１１は、セクタＢの入力信号を入力し、入力端子２１２は、セクタＣの入力信号を入力して、各々入力側ＲＦリレーユニット２２０に出力する。
【００３６】
入力側ＲＦリレーユニット２２０は、セクタＡ用の入力端子２１０から出力された信号をセクタＡ用の増幅装置２６０′に出力し、セクタＢ用の入力端子２１１から出力された信号をセクタＢ用の増幅装置２６１′に出力し、セクタＣ用の入力端子２１２から出力された信号をセクタＣ用の増幅装置２６２′に出力する。
【００３７】
但し、増幅装置２６０′，２６１′，２６２′でメジャーアラーム又はマイナーアラームが発生した場合に、リレー制御ユニット２５０′からの指示により、入力側ＲＦリレーユニット２２０は、アラームが発生した増幅装置への出力を予備の増幅装置２６３′に入力するよう切り替える。
【００３８】
増幅装置２６０′，２６１′，２６２′は、セクタＡ，Ｂ，Ｃ用の増幅装置である。
尚、増幅装置２６０′，２６１′，２６２′における経路切替要求処理が、従来の処理と異なっている。経路切替要求処理については後述する。
【００３９】
予備の増幅装置２６３′は、予備用の増幅装置であり、マイナーアラームに対しても予備として運用し、そのマイナーアラームに対する運用中にメジャーアラームが発生すると、メジャーアラームが発生した増幅装置の予備として動作する。
【００４０】
出力側ＲＦリレーユニット２３０は、増幅装置２６０′からのセクタＡ用の増幅信号を出力端子２４０に出力し、増幅装置２６１′からのセクタＢ用の増幅信号を出力端子２４１に出力し、増幅装置２６２′からのセクタＣ用の増幅信号を出力端子２４２に出力する。
【００４１】
但し、増幅装置２６０′，２６１′，２６２′でメジャーアラーム又はマイナーアラームが発生した場合に、リレー制御ユニット２５０′からの指示により、出力側ＲＦリレーユニット２３０は、予備の増幅装置２６３′からの出力をアラームが発生した増幅装置に対応する出力端子に出力するよう切り替える。
【００４２】
出力端子２４０は、出力側ＲＦリレーユニット２３０からセクタＡの出力信号を出力し、出力端子２４１は、セクタＢの出力信号を出力し、出力端子２４２は、セクタＣの出力信号を出力する。
【００４３】
リレー制御ユニット２５０′は、増幅装置２６０′〜２６２′からのメジャーアラーム又はマイナーアラームに基づく経路切替要求に応じて予備の増幅装置２６３′への切替制御を行い、増幅装置２６０′〜２６２′からのメジャーアラーム要因解消に基づく経路回復要求に応じて経路回復制御を行う。
【００４４】
リレー制御ユニット２５０′は、入力側ＲＦリレーユニット２２０及び出力側ＲＦリレーユニット２３０に対して制御線で接続し、経路切替及び経路復帰の制御を行う。
また、リレー制御ユニット２５０′は、増幅装置２６０′〜２６２′及び予備の増幅装置２６３′と制御線及び通知線で接続し、通知線によって増幅装置から経路切替要求、経路復帰要求、予備の増幅装置の使用中等の情報を受信し、制御線で切替及び復帰を制御する。
【００４５】
［経路切替要求処理］
次に、本装置における経路切替要求処理について図２を参照しながら説明する。図２は、本発明の実施の形態に係る増幅装置の経路切替要求処理のフローチャートである。
本装置の増幅装置２６０′，２６１′，２６２′は、図２に示すように、メジャーアラームを検出したか否かを判定し（Ｓ２００）、メジャーアラームを検出したならば（Ｙｅｓの場合）、経路切替要求をリレー制御ユニット２５０′に出力する（Ｓ２３０）。
【００４６】
判定処理Ｓ２００で、メジャーアラームを検出していなければ（Ｎｏの場合）、マイナーアラームを検出したか否かを判定する（Ｓ２１０）。
マイナーアラームを検出していなければ（Ｎｏの場合）、処理を終了し、マイナーアラームを検出していれば（Ｙｅｓの場合）、他セクタでメジャーアラームが発生中であるか否かを判定する（Ｓ２２０）。
【００４７】
他セクタでメジャーアラームが発生中であれば（Ｙｅｓの場合）、処理を終了し、他セクタでメジャーアラームが発生中でなければ（Ｎｏの場合）、切替要求処理をリレー制御ユニット２５０′に出力する（Ｓ２３０）。
【００４８】
つまり、メジャーアラームが発生していない状態で、マイナーアラームの検出があると、予備の増幅装置に経路の切替が為されることになる。
尚、本装置の増幅装置では、他セクタでメジャーアラームが発生中か否か（発生したか否か）を判定する機能が備えられている。具体的実現手段としては、他セクタで発生したメジャーアラーム発生をリレー制御ユニット２５０′が、それ以外のセクタ用の増幅装置に通知することが考えられる。
また、他セクタでメジャーアラームが発生中であれば、他のセクタの増幅装置から経路切替要求が出力されることになる。
【００４９】
［経路復帰要求処理］
次に、本装置における経路復帰要求処理について図３を参照しながら説明する。図３は、本発明の実施の形態に係る増幅装置の経路復帰要求処理のフローチャートである。
本装置の増幅装置２６０′，２６１′，２６２′は、図３に示すように、メジャーアラーム要因が解消（正常状態復帰）したか否かを判定し（Ｓ３００）、メジャーアラーム要因が解消していなければ（Ｎｏの場合）、処理を終了する。
【００５０】
メジャーアラーム要因が解消していれば（Ｙｅｓの場合）、次にマイナーアラーム発生中か否かの判定を行う（Ｓ３１０）。マイナーアラーム発生中でなければ（Ｎｏの場合）、各セクタの増幅装置２６０′，２６１′，２６２′は、経路回復要求をリレー制御ユニット２５０′に出力する（Ｓ３４０）。
【００５１】
判定処理Ｓ３１０で、マイナーアラーム発生中であれば（Ｙｅｓの場合）、予備の増幅装置２６３′が運用中であるか否かを判定する（Ｓ３２０）。
予備の増幅装置２６３′が運用中でなければ（Ｎｏの場合）、処理を終了し、予備の増幅装置２６３′が運用中であれば（Ｙｅｓの場合）、他セクタでメジャーアラーム発生したか否かを判定する（Ｓ３３０）。
【００５２】
他セクタでメジャーアラーム発生していなければ（Ｎｏの場合）、処理を終了し、他セクタでメジャーアラーム発生していれば（Ｙｅｓの場合）、各セクタの増幅装置２６０′，２６１′，２６２′は、経路回復要求をリレー制御ユニット２５０′に出力する（Ｓ３４０）。
このようにして、本装置の増幅装置は、経路回復要求処理を行う。
【００５３】
［応用例］
本装置では、各セクタ用の増幅装置が、他のセクタでの状況を確認してリレー制御ユニット２５０′に経路切替要求又は経路回復要求を出力するようになっているが、これは、リレー制御ユニット２５０′の機能を高度化しないことにより、高度マイコンを不要として低コストを実現するためのものであるが、制御処理を簡単にするためには、高度マイコンを用いて、リレー制御ユニット２５０′が、各セクタ用の増幅装置を直接監視して、メジャーアラーム及びマイナーアラームに対して経路切替制御及び経路回復制御を直接行うようにしてもよい。
【００５４】
［実施の形態の効果］
本装置によれば、増幅装置のメジャーアラーム発生状態をお互いに取得できるようにし、マイナーアラームで予備の増幅装置の運用中に、メジャーアラーム発生セクタの切替に対応可能としたものである。
【００５５】
また、本装置では、予備の増幅装置が運用中であれば、他セクタでのメジャーアラーム発生状況を確認し、他セクタでのメジャーアラーム発生中であれば、経路回復要求を出力し、未発生であれば、何も行わず、予備の増幅装置で運用を継続するようにしたものである。
【００５６】
また、本装置では、マイナーアラーム検出時に、利得低下処理を行ったり、運用継続でいずれメジャーアラームとなってしまうものもあるため、継続運用可能なものでも、予備の増幅装置で運用可能とすることにより、携帯電話ユーザに安定した通信サービスを提供できる効果がある。
【００５７】
また、本装置では、他の増幅装置にメジャーアラームが発生した場合、マイナーアラームが発生した増幅装置を元に戻して運用することにより、サービスの低下を防ぐことができる効果がある。
【産業上の利用可能性】
【００５８】
本発明は、メジャーアラームの発生だけでなく、マイナーアラームの発生にも予備の増幅装置を効率的に利用できるようにした増幅装置の冗長構成装置に好適である。
【図面の簡単な説明】
【００５９】
【図１】本発明の実施の形態に係る増幅装置の冗長構成装置の構成ブロック図である。
【図２】本発明の実施の形態に係る増幅装置の経路切替要求処理のフローチャートである。
【図３】本発明の実施の形態に係る増幅装置の経路復帰要求処理のフローチャートである。
【図４】従来の増幅装置の構成ブロック図である。
【図５】従来の増幅装置の冗長構成装置の構成ブロック図である。
【図６】従来の増幅装置の経路切替要求処理のフローチャートである。
【図７】従来のリレー制御ユニットの経路切替制御のフローチャートである。
【図８】従来の経路回復要求処理を示すフローチャートである。
【図９】従来のリレー制御ユニットの経路復帰制御のフローチャートである。
【図１０】メジャーアラーム検出前の正常運用中の状態を示す構成図である。
【図１１】セクタＡ用の増幅装置におけるメジャーアラーム発生時の状態を示す構成図である。
【符号の説明】
【００６０】
１００…増幅装置、  １１０…入力端子、  １２０…増幅部、  １３０…出力端子、  １４０…電源部（ＰＳ）、  １５０…ＦＡＮ部、  １６０…制御部、  １７０…外部機器、  ２００…冗長構成装置、  ２１０，２１１，２１２…入力端子、  ２２０…入力側ＲＦリレーユニット、  ２３０…出力側ＲＦリレーユニット、  ２４０，２４１，２４２…出力端子、  ２５０，２５０′…リレー制御ユニット、  ２６０，２６０′…増幅装置（セクタＡ用）、  ２６１，２６１′…増幅装置（セクタＢ用）、  ２６２，２６２′…増幅装置（セクタＣ用）、  ２６３，２６３′…予備の増幅装置
【図１】
2008141451.tif 000003
【図２】
2008141451.tif 000004
【図３】
2008141451.tif 000005
【図４】
2008141451.tif 000006
【図５】
2008141451.tif 000007
【図６】
2008141451.tif 000008
【図７】
2008141451.tif 000009
【図８】
2008141451.tif 000010
【図９】
2008141451.tif 000011
【図１０】
2008141451.tif 000012
【図１１】
2008141451.tif 000013